(57)【要約】【課題】  着用者の脚周りに隙間を作らないように調整することができるパンツ型使い捨ておむつを提供する。【解決手段】  前身頃と、後身頃と、これら両身頃の間に位置する股下部とを有しており、前記前身頃と後身頃の相対する両側縁部を接合してウエスト周り開口部と一対の脚周り開口部を形成し、前記各開口部に沿ってウエスト周り伸縮弾性体と脚周り伸縮弾性体が配置されたパンツ型使い捨ておむつにおいて、前記前身頃と後身頃のうちのいずれか一方の身頃の前記脚周り開口部側の側縁部の長さが、他方の身頃の脚周り開口部側の側縁部の長さよりも長く形成されており、前記長く形成された側縁部には、相対する身頃の側縁部と着脱可能な止着手段を有する止着テープが取付けられていることを特徴とするパンツ型使い捨ておむつ。【選択図】  図１
2005058396.tif 000002
【特許請求の範囲】
【請求項１】
前身頃と、後身頃と、これら両身頃の間に位置する股下部とを有しており、前記前身頃と後身頃の相対する両側縁部を接合してウエスト周り開口部と一対の脚周り開口部を形成し、前記各開口部に沿ってウエスト周り伸縮弾性体と脚周り伸縮弾性体が配置されたパンツ型使い捨ておむつにおいて、
前記前身頃と後身頃のうちのいずれか一方の身頃の前記脚周り開口部側の側縁部の長さが、他方の身頃の脚周り開口部側の側縁部の長さよりも長く形成されており、
前記長く形成された側縁部には、相対する身頃の側縁部と着脱可能な止着手段を有する止着テープが取付けられていることを特徴とするパンツ型使い捨ておむつ。
【請求項２】
前記止着テープが取付けられている側の身頃の脚周り伸縮弾性体は、前記脚周り開口部の周縁部に沿って配置されており、前記止着テープは前記脚周り伸縮弾性体の配置領域及び／又はその近傍に取付けられていることを特徴とする請求項１記載のパンツ型使い捨ておむつ。
【請求項３】
前記止着テープが取付けられている側の身頃の脚周り開口部には、前記脚周り伸縮弾性体の外側に、前記股下部から側縁部にかけて、さらに第２の脚周り伸縮弾性体が配置されており、前記止着テープは前記第２の脚周り伸縮弾性体の配置領域及び／又はその近傍に取付けられていることを特徴とする請求項１又は２に記載のパンツ型使い捨ておむつ。
【請求項４】
前身頃と、後身頃と、これら両身頃の間に位置する股下部とを有してなり、前記前身頃と後身頃の相対する両側縁部を接合してウエスト周り開口部と一対の脚周り開口部を形成し、前記各開口部に沿ってウエスト周り伸縮弾性体と脚周り伸縮弾性体が配置されたパンツ型使い捨ておむつにおいて、
前記前身頃と後身頃のうちの少なくとも一方の身頃には、前記脚周り伸縮弾性体の外側に、前記股下部から側縁部にかけて、第２の脚周り伸縮弾性体が配置されており、かつ、前記第２の脚周り伸縮弾性体が配置された領域の側縁部は非接合状態に形成されており、
前記非接合状態の側縁部において、前身頃と後身頃のいずれか一方の側縁部には、相対する身頃の側縁部と着脱可能な止着手段を有する止着テープが取付けられていることを特徴とするパンツ型使い捨ておむつ。
【請求項５】
前記止着テープは、前記第２の脚周り伸縮弾性体の配置領域及び／又はその近傍に取付けられていることを特徴とする請求項４記載のパンツ型使い捨ておむつ。
【請求項６】
前記脚周り開口部近傍には、前記止着テープとは別体の少なくとも１個の止着テープが取付けられていることを特徴とする請求項１〜５のいずれかに記載のパンツ型使い捨ておむつ。
【請求項７】
前記止着テープは固定端と自由端からなり、固定端は前記おむつに接着固定されており、自由端は前記止着手段を有しており、かつ、前記止着テープは、その使用前には、前記自由端が前記前後身頃の両側縁部の接合部よりも内側に位置するように仮止めされていることを特徴とする請求項１〜６のいずれかに記載のパンツ型使い捨ておむつ。
【請求項８】
前記止着テープが、前記脚周り開口部において、前記おむつの衣類に面する側に取付けられていることを特徴とする請求項１〜７のいずれかに記載のパンツ型使い捨ておむつ。
【請求項９】
前記止着テープが、前記脚周り開口部において、前記おむつの着用者の肌に面する側に取付けられていることを特徴とする請求項１〜７のいずれかに記載のパンツ型使い捨ておむつ。
【請求項１０】
前記止着手段が、粘着剤、面ファスナー、またはこれらの組合せにより形成されていることを特徴とする請求項１〜９のいずれかに記載のパンツ型使い捨ておむつ。
【請求項１１】
前記止着テープの基材が、伸縮性を有する材料で形成されていることを特徴とする請求項１〜１０のいずれかに記載のパンツ型使い捨ておむつ。
【請求項１２】
前記止着テープが止着される側の身頃に止着テープの止着位置の目安となる表示が設けられていることを特徴とする請求項１〜１１のいずれかに記載のパンツ型使い捨ておむつ。
【発明の詳細な説明】
【技術分野】
【０００１】
本発明は、子供向けや、大人向けの、尿や便を吸収保持するパンツ型使い捨ておむつに関するものである。
【背景技術】
【０００２】
使い捨ておむつのうち特に着用するタイプを大きく分けると、テープ型とパンツ型に分けることができる。テープ型使い捨ておむつの一般的な形状は、身体の下腹部から股下、臀部にかけて覆うように縦長の吸収体を当接しており、吸収体を着用者の体に固定するために、吸収体の前身頃と後身頃に相当する部分の両側に側縁部が形成されており、後身頃の両側縁部の先端に１組の止着テープが取り付けられ、一方、前身頃の吸収体の外側には前記止着テープが係合できるように止着ゾーンを設けてある。また、脚周りに隙間をつくらないために、吸収体の両側縁部の外側には吸収体に沿って糸ゴム、平ゴムなどの伸縮弾性体が配置されており、さらに、腹回りに隙間をつくらないように、吸収体の前身頃側の端縁に沿ってウレタンフォームやウレタンフィルム、糸ゴムなどの伸縮弾性体を配置する場合もある。
【０００３】
テープ型使い捨ておむつの特徴として、着用者の脚周りに隙間を作らないようにするために、おむつの股上を調整し、ウエスト周りに隙間を作らないようにするためには、前記止着テープの係合位置を身体の中心側に向けて締めて止着する。止着テープは、おむつがずり落ちないように働くので、股上の固定、すなわち脚周りの調整にも寄与している。このようにテープ型おむつは、着用者の脚周りと腹回りに合わせて調整することができる。
【０００４】
一方、パンツ型使い捨ておむつの一般的な形状は、前身頃と、後身頃と、これら両身頃の間に位置する股下部とを有してなり、前記前身頃と後身頃の相対する両側縁部を接合してウエスト周り開口部と一対の脚周り開口部を形成し、前記各開口部に沿って伸縮弾性体が配置されている。
【０００５】
パンツ型使い捨ておむつの特徴として、いわゆる布製のパンツと同じようにはくことができ、はくだけで腹周りと脚周りが締まり、調節する必要がない。したがって、短い時間でおむつ換えをすることができることと、立ったままで交換ができる。
【０００６】
テープ型とパンツ型は一般には使い分けされており、子供用おむつであれば、乳児のころは寝ていることが多いのでテープ型を使い、ハイハイ又はつかまり立ちのころには、子供が寝転がることを嫌うのでパンツ型が好まれる。大人用おむつの場合、交換時に立ち姿勢が取れる場合はパンツ型使い捨ておむつが好んで使われる。また、日常生活に関わる身体能力はさまざまなレベルがあり、例えば、健常者と変わらない生活ができるが失禁に悩む人や、介護が必要で補助器具を使いながら歩行する人までパンツ型使い捨ておむつは巾広い使われ方をする。
【０００７】
パンツ型使い捨ておむつの欠点としては、脚周りと腹周りの寸法に許容範囲があるため、着用者の体形がその寸法から外れる場合には、おむつと着用者の身体の間に隙間が生じたり、あるいは、締め付けが緩くなり、その部分から漏れが生じることであり、特に、脚周りにおける影響が大きく、脚周りの寸法が許容範囲より小さい場合には漏れを生じ易くなる。例えば、着用者によっては、腰周りの寸法は適正な範囲にあっても、脚周りの寸法が許容範囲より小さい場合があるが、従来のパンツ型使い捨ておむつでは脚周りを調整して着用することはできなかった。
【０００８】
上記の問題点を解決する方法として、パンツ型使い捨ておむつに止着テープを取付け、着用感の緩い部位の締りを調整する方法が提案されている。例えば、前身頃と後身頃のいずれか一方の外面の胴周り開口部近傍と脚周り開口部近傍において、各開口部に並行に止着テープを取付けたパンツ型使い捨ておむつが開示されている（例えば、特許文献１）。また、ウエスト開口部とレッグ開口部との中間領域におけるおむつの胴周り領域に、おむつの幅方向に止着テープを取付けたパンツ型使い捨ておむつが開示されている（例えば、特許文献２）。さらに、レッグ開口部側からウエスト部近傍にかけてスリットが形成され、スリットにより分割された部分が連結部材（止着テープ）により着脱可能に連結されたパンツ型使い捨ておむつが開示されている（例えば、特許文献３）。
【特許文献１】実開平５−３９５３１号公報
【特許文献２】実開平６−７７７１９号公報
【特許文献３】実開平６−６５４０９号公報
【発明の開示】
【発明が解決しようとする課題】
【０００９】
上記特許文献１及び２に開示されているパンツ型使い捨ておむつは、前身頃と後身頃の接合部を折り曲げて、その上から止着テープで締め付けるため、接合部の折り曲げられた部分が着用者の肌を圧迫し、着用感が悪くなるという問題点を有している。また、特許文献３に開示されているパンツ型使い捨ておむつは、着用感は優れているが、止着テープが衣類等と擦れて外れた場合には、スリットが開放された状態になるため、パンツ型使い捨ておむつとして機能しなくなるという問題点を有している。
【００１０】
本発明は、上記従来の止着テープを取付けたパンツ型使い捨ておむつの有する問題点を克服し、着用者の身体に良好にフィットし、着用感に優れ、さらに、止着テープが外れた場合にもパンツ型使い捨ておむつとしての機能を損なうことのないパンツ型使い捨ておむつを提供するものである。
【課題を解決するための手段】
【００１１】
上記従来の止着テープを取付けたパンツ型使い捨ておむつの有する問題点を解決するための本発明は、以下の各発明を包含する。
【００１２】
なお、本発明において、「脚周り伸縮弾性体の近傍」とは、脚周り伸縮弾性体が配置されている領域、及び脚周り伸縮弾性体が配置されている方向の延長線上の領域、さらに、これらの領域の周辺部をいう。
【００１３】
（１）前身頃と、後身頃と、これら両身頃の間に位置する股下部とを有しており、前記前身頃と後身頃の相対する両側縁部を接合してウエスト周り開口部と一対の脚周り開口部を形成し、前記各開口部に沿ってウエスト周り伸縮弾性体と脚周り伸縮弾性体が配置されたパンツ型使い捨ておむつにおいて、
前記前身頃と後身頃のうちのいずれか一方の身頃の前記脚周り開口部側の側縁部の長さが、他方の身頃の脚周り開口部側の側縁部の長さよりも長く形成されており、
前記長く形成された側縁部には、相対する身頃の側縁部と着脱可能な止着手段を有する止着テープが取付けられていることを特徴とするパンツ型使い捨ておむつ。
【００１４】
（２）前記止着テープが取付けられている側の身頃の脚周り伸縮弾性体は、前記脚周り開口部の周縁部に沿って配置されており、前記止着テープは前記脚周り伸縮弾性体の近傍に取付けられていることを特徴とする（１）項記載のパンツ型使い捨ておむつ。
【００１５】
（３）前記止着テープが取付けられている側の身頃の脚周り開口部には、前記脚周り伸縮弾性体の外側に、前記股下部から側縁部にかけて、さらに第２の脚周り伸縮弾性体が配置されており、前記止着テープは前記第２の脚周り伸縮弾性体の近傍に取付けられていることを特徴とする（１）項又は（２）項に記載のパンツ型使い捨ておむつ。
【００１６】
（４）前身頃と、後身頃と、これら両身頃の間に位置する股下部とを有してなり、前記前身頃と後身頃の相対する両側縁部を接合してウエスト周り開口部と一対の脚周り開口部を形成し、前記各開口部に沿ってウエスト周り伸縮弾性体と脚周り伸縮弾性体が配置されたパンツ型使い捨ておむつにおいて、
前記前身頃と後身頃のうちの少なくとも一方の身頃には、前記脚周り伸縮弾性体の外側に、前記股下部から側縁部にかけて、第２の脚周り伸縮弾性体が配置されており、かつ、前記第２の脚周り伸縮弾性体が配置された領域の側縁部は非接合状態に形成されており、
前記非接合状態の側縁部において、前身頃と後身頃のいずれか一方の側縁部には、相対する身頃の側縁部と着脱可能な止着手段を有する止着テープが取付けられていることを特徴とするパンツ型使い捨ておむつ。
【００１７】
（５）前記止着テープは、前記第２の脚周り伸縮弾性体の近傍に取付けられていることを特徴とする（４）項記載のパンツ型使い捨ておむつ。
【００１８】
（６）前記脚周り開口部近傍には、前記止着テープとは別体の少なくとも１個の止着テープが取付けられていることを特徴とする（１）項〜（５）項のいずれかに記載のパンツ型使い捨ておむつ。
【００１９】
（７）前記止着テープは固定端と自由端からなり、固定端は前記おむつに接着固定されており、自由端は前記止着手段を有しており、かつ、前記止着テープは、その使用前には、前記自由端が前記前後身頃の両側縁部の接合部よりも内側に位置するように仮止めされていることを特徴とする（１）項〜（６）項のいずれかに記載のパンツ型使い捨ておむつ。
【００２０】
（８）前記止着テープが、前記脚周り開口部において、前記おむつの衣類に面する側に取付けられていることを特徴とする（１）項〜（７）項のいずれかに記載のパンツ型使い捨ておむつ。
【００２１】
（９）前記止着テープが、前記脚周り開口部において、前記おむつの着用者の肌に面する側に取付けられていることを特徴とする（１）項〜（７）項のいずれかに記載のパンツ型使い捨ておむつ。
【００２２】
（１０）前記止着手段が、粘着剤、面ファスナー、又はこれらの組合せにより形成されていることを特徴とする（１）項〜（９）項のいずれかに記載のパンツ型使い捨ておむつ。
【００２３】
（１１）前記止着テープの基材が、伸縮性を有する材料で形成されていることを特徴とする（１）項〜（１０）項のいずれかに記載のパンツ型使い捨ておむつ。
【００２４】
（１２）前記止着テープが止着される側の身頃に止着テープの止着位置の目安となる表示が設けられていることを特徴とする（１）項〜（１１）項のいずれかに記載のパンツ型使い捨ておむつ。
【発明の効果】
【００２５】
本発明のパンツ型使い捨ておむつの第１の形態においては、前身頃と後身頃の相対する両側縁部を接合してウエスト周り開口部と一対の脚周り開口部を形成し、各開口部に沿ってウエスト周り伸縮弾性体と脚周り伸縮弾性体が配置され、さらに、前身頃と後身頃のうちのいずれか一方の身頃の脚周り開口部側の側縁部の長さが、他方の身頃の脚周り開口部側の側縁部の長さよりも長く形成されており、長く形成された側縁部には、相対する身頃の側縁部と着脱可能な止着テープが取付けられている。
【００２６】
このような構成を有する本発明のパンツ型使い捨ておむつは、脚周り開口部の側縁部に取付けた止着テープにより、着用者の脚周りに隙間が生じないようにおむつを調整することが可能であり、また、前身頃と後身頃の接合部が着用者の肌を圧迫することがないため、優れた着用感を有しており、さらに、着用中に止着テープが外れることがあっても、パンツの機能を維持することができるものである。
【００２７】
この場合、止着テープを脚周り伸縮弾性体の近傍に取付けた構成にすることにより、伸縮弾性体の作用により、おむつを着用者の脚周りにより良好にフィットさせることができる。また、止着テープが取付けられている側の身頃において、脚周り伸縮弾性体の外側に、さらに第２の脚周り伸縮弾性体を配置し、止着テープを第２の脚周り伸縮弾性体の近傍に取付けた構成にすることにより、第２の脚周り伸縮弾性体の作用により、臀部を包むようにおむつを着用者に装着することができるため、さらに良好に、おむつを着用者の脚周りにフィットさせることが可能となる。
【００２８】
本発明のパンツ型使い捨ておむつの第２の形態においては、前身頃と後身頃の相対する両側縁部を接合してウエスト周り開口部と一対の脚周り開口部を形成し、各開口部に沿ってウエスト周り伸縮弾性体と脚周り伸縮弾性体が配置され、さらに、前身頃と後身頃のうちの少なくとも一方の身頃には、脚周り伸縮弾性体の外側に第２の脚周り伸縮弾性体が配置されており、かつ、第２脚周り伸縮弾性体が配置された領域の側縁部は非接合状態に形成されており、非接合状態の側縁部において、前身頃と後身頃の一方の側縁部には、相対する身頃の側縁部と着脱可能な止着テープが取付けられている。
【００２９】
このような構成を有する本発明のパンツ型使い捨ておむつは、脚周り開口部の非接合状態の側縁部に取付けた止着テープにより、着用者の脚周りに隙間が生じないようにおむつを調整することが可能であり、また、前身頃と後身頃の接合部が着用者の肌を圧迫することがないため、優れた着用感を有しており、さらに、着用中に止着テープが外れることがあっても、パンツの機能を良好に維持することができるものである。
【００３０】
この場合、止着テープを第２の脚周り伸縮弾性体の近傍に取付けた構成にすることにより、第２の脚周り伸縮弾性体の作用により、臀部を包むようにおむつを着用者に装着することができるため、おむつを着用者の脚周りにより良好にフィットさせることが可能となる。
【００３１】
さらに、本発明のパンツ型使い捨ておむつは、脚周り開口部近傍に、前記止着テープとは別体の少なくとも１個の止着テープを取付けることができる。このように、複数個の止着テープを取付けることにより、止着テープが１個の場合よりも、脚周りの調整をより良好に行なうことができる。
【発明を実施するための最良の形態】
【００３２】
本発明のパンツ型使い捨ておむつは、パンツを形成する部材をその股下部を介して二つに折り畳み、前身頃と後身頃の相対する両側縁部を接合してウエスト周り開口部と一対の脚周り開口部を形成し、各開口部に沿ってウエスト周り伸縮弾性体と脚周り伸縮弾性体を配置して形成される。
【００３３】
具体的には、液透過性の表面シートと、液不透過性の裏面シートと、これら両シートの間に配置された吸収体とからなるいわゆる一体型のおむつを用い、これを表面シートを内側にして折り畳み、前後身頃のサイドフラップの両側縁部を接合してパンツ型使い捨ておむつを形成することができる。
【００３４】
あるいは、液透過性の表面シートと、液不透過性の裏面シートと、これら両シートの間に配置された吸収体とからなる吸収性本体と、吸収性本体が接合され、これを着用者に当てて保持する外装シートとからなるいわゆるツーピース型のおむつを用い、これを吸収性本体を内側にして折り畳み、外装シートの前後身頃のサイドフラップの両側縁部を接合してパンツ型使い捨ておむつを形成することもできる。
【実施例】
【００３５】
以下、実施例を示す図面を参照して、本発明のパンツ型使い捨ておむつをさらに詳細に説明するが、本発明は、これらの実施例により何等制限されるものではない。
【００３６】
図１及び図２は、本発明のパンツ型使い捨ておむつを示す一実施例であり、図１は、おむつを腹側から見た正面図であり、図２は、おむつを背側から見た背面図である。
【００３７】
パンツ型使い捨ておむつ１は、前身頃２と、後身頃３と、これら両身頃の間に位置する股下部４とを有しており、前身頃２と後身頃３の相対する両側縁部１２、１１を外縁５において接合してウエスト周り開口部６と一対の脚周り開口部７を形成し、ウエスト周り開口部６に沿ってウエスト周り伸縮弾性体８が配置され、脚周り開口部７に沿って脚周り伸縮弾性体９が配置されている。なお、脚周り伸縮弾性体としては、必ずしも開口部を形成するシートに配置されたものだけではなく、立体ギャザーのように脚周りに密着して漏れを防止するものであっても、その両方であってもよい。また、本発明の好ましい例としてさらに胴周りに複数本の伸縮弾性体１０が配置されている。
【００３８】
また、脚周り開口部側において、後身頃の側縁部１１の長さが前身頃の側縁部１２の長さよりも長く形成されており、長く形成された後身頃の側縁部１１の部分には、脚周り伸縮弾性体９の外側に第２の脚周り伸縮弾性体９’が配置されており、さらに、第２の脚周り伸縮弾性体９’の配置領域には、前身頃の脚周り領域と着脱可能に止着することができる止着テープ１３が取付けられている。
【００３９】
図３は、図１に示した本発明のパンツ型使い捨ておむつの止着テープを取付けた部分を示す拡大図である。
図３において、後身頃の側縁部１１は前身頃の側縁部１２より長く形成されており、長く形成された後身頃の側縁部１１の下端部２０には、第２の脚周り伸縮弾性体９’が配置されており、さらに、第２の脚周り伸縮弾性体９’近傍の側縁部１１の外縁５には、止着テープ１３が取付けられている。
また、止着テープ１３上には、面ファスナーのフック材からなる止着手段２１がヒートシール２３により接着固定されて取付けられており、さらに、止着テープ１３の先端部には、テープを摘みやすくするためのタブ２２が形成されている。
【００４０】
図４は、本発明のパンツ型使い捨ておむつを着用した状態を側面から見た場合の外観図である。
図４において、止着テープ１３は、固定端３０と自由端３２からなり、固定端３０は、後身頃の側縁部１１の第２の脚周り伸縮弾性体９’の近傍に接着固定されており、自由端３２は、その先端部に取付けられた止着手段（図示せず）を介して前身頃２に着脱可能に止着されている。この場合、前身頃２には、止着テープ１３を止着する位置の目安となるようなマークを印刷しても良い。また、止着テープ１３の他に、さらに別の止着テープを取付けることも可能である。
【００４１】
また、このような構成を有する止着テープ１３は、止着手段を介して、あるいは介さずに、おむつの任意の位置に仮止めすることができる。さらに、自由端３２を反転させた状態で止着することもできる。
なお、図４においては、止着テープ１３は後身頃の側縁部１１の外側、すなわち、衣類に面する側に取付けられているが、内側、すなわち、着用者の肌に面する側に取付けても良い。
【００４２】
図５は、本発明のパンツ型使い捨ておむつの図１とは別の例を示しており、脚周り開口部の止着テープを取付けた部分を示す拡大図である。
図５において、前身頃の側縁部１２と後身頃の側縁部１１が接合されて脚周り開口部７が形成され、脚周り開口部７に沿って脚周り伸縮弾性体９が配置されており、さらに、脚周り伸縮弾性体９が配置された領域よりも外側の領域は、前身頃の側縁部１２と後身頃の側縁部１１とが接合されずに非接合部３３が形成されており、かつ、側縁部１１と側縁部１２の非接合部３３の領域には第２の脚周り伸縮弾性体３１が配置されている。
また、後身頃の側縁部１１には、固定端３０と自由端３２とからなる止着テープ１３が配置されており、固定端３０において第２の脚周り伸縮弾性体３１の近傍に接着固定されており、自由端３２には止着手段２１が取付けられており、さらに、自由端３２全体がピンエンボス３４によって後身頃の側縁部１１に仮止めされている。
【００４３】
このような構成を有する本発明のパンツ型使い捨ておむつは、脚周り開口部７の脚周り伸縮弾性体９を配置した部分が着用者の脚周り寸法と適正である場合には、そのまま着用することが可能であり、また、脚周り寸法が脚周り開口部より小さい場合には、止着テープ１３を前身頃の側縁部１２に止着して脚周りを調整することができる。
なお、図５では、第２の脚周り伸縮弾性体３１を前身頃２と後身頃３の両方に配置した場合を示したが、前身頃２側の第２の脚周り伸縮弾性体３１は必ずしも配置する必要はない。
【００４４】
図６は、本発明のパンツ型おむつの一例であり、おむつを縦方向中央部で切断した状態を示す縦断面図である。
図６において、パンツ型使い捨ておむつ１は、パンツを形成する外装シート４１と、排泄物を吸収・保持する吸収性本体４２からなり、吸収性本体４２は外装シート４１の内側に配置され、固定用シート４８により両者は接合されている。
また、外装シート４１は２枚の不織布４３で形成されており、吸収性本体４２は、液透過性のトップシート４４と液不透過性のバックシート４５とこれら両シートの間に配置された吸収体４６とで形成されており、さらに、吸収体４６は高吸収性ポリマーと綿状パルプからなり、ティシュ４７で包まれて形成されている。
【００４５】
おむつ１は、パンツを形成する外装シート４１をその股下部４を介して二つに折り畳み、前身頃２と後身頃３の相対する両側縁部を接合してウエスト周り開口部６と一対の脚周り開口部（図示せず）を形成し、ウエスト周り開口部６にウエスト周り伸縮弾性体８を配置し、脚周り開口部には脚周り伸縮弾性体（図示せず）を配置してパンツ型に形成されている。さらに、前身頃２と後身頃３の胴周りの位置には、胴周り伸縮弾性体１０が配置されている。
【００４６】
本発明において、おむつの脚周り開口部に取付ける止着テープとしては、粘着テープ、面ファスナーテープ、及びこれらを組合せた複合テープを用いることができる。これら止着テープの好ましい例について、図７〜図９により詳細に説明する。
【００４７】
図７に示す止着テープは、伸縮性の基材シート５１と、その一方の端部に形成された、おむつに接着固定される部分である固定端５２と、もう一方の端部に形成された、止着手段が取付けられる部分である自由端５３とからなり、固定端５２には、非伸縮性のシート５４を介して接着剤層５５が形成されており、自由端５３には、非伸縮性のシート５６を介して止着手段としての面ファスナーのフック材５７が取付けられており、さらに、自由端５３の先端部にはタブ５８が形成されている。
【００４８】
このように、基材シート５１の固定端５２の部分に非伸縮性のシート５４を張合わせることにより、固定端５２をおむつに接着した場合に、基材シートの伸縮によって固定端が剥離するのを防止することができ、また、基材シート５１の自由端５３の部分に非伸縮性のシート５６を貼合わせることにより、基材シート５１の伸縮によってフック材５７が剥離するのを防止することができるが、これら非伸縮性のシート５４、５６は必ずしも必要ではない。
【００４９】
図８の止着テープは、図７に示した止着テープとは異なる例を示しており、自由端５３において、非伸縮性のシート５６を介して粘着剤層５９が形成され、さらに、粘着剤層５９の上に粘着剤層５９より面積の小さいフック材５７が取付けられている。止着テープをこのような構成にすることにより、粘着剤とフック材の両方を止着手段として使用することができる。
【００５０】
また、基材シート５１の固定端５２と自由端５３において、非伸縮性のシート５４及び５６が張合わされている面とは反対側の面に、それぞれ基材シート５１とは異なる色に着色された非伸縮性のシート６０及び６１が張合わされている。このように、基材シートに、基材シートとは異なる色のシートを張合わせることにより、止着テープの識別が容易となり、止着テープの位置が分かり易くなる。
【００５１】
図９に示す止着テープは、３つの基材シート７０、７１、及び７２からなり、各シートは、一方の面に粘着剤層７３を有し、他方の面に離型剤層７４を有しており、基材シート７１の両端部と基材シート７０及び７２の一方の端部とが粘着剤層７３同士を接着して連結された連結体として形成されている。このような構成の止着テープは、基材シート７２が固定端５２として、粘着剤層７３を介しておむつに接着固定され、基材シート７０が自由端５３として、その先端部７５にタブシート７６が取付けられており、基材シート７０の粘着剤層７３が止着手段として作用する。
【００５２】
また、このような構成の止着テープは、各基材シートの連結部７７、７８においてテープをＺ字状に折り畳むことにより、折り畳まれた部分のシートの粘着剤層７３と対面する離型剤層７４とが着脱可能に接着されるため、使用前の止着テープをＺ字状に折り畳んだ状態で仮止めすることができ、さらに、テープを使用する場合にはタブシート７６を引張ることにより容易にテープを引き伸ばすことができるため、基材シートが非伸縮性の材料であっても使用することができる。
なお、本実施例では、止着手段が粘着剤層のみからなる例を示したが、粘着剤層にさらに面ファスナーのフック材を追加しても良い。
【００５３】
以下に、本発明において使用される材料についてさらに詳細に説明するが、本発明はこれらの材料に限定されるものではない。
【００５４】
本発明において、止着テープの基材としては、着用者の脚周りに触れる可能性があるため、柔軟な素材を選択することが好ましい。例えば、止着テープ基材に伸縮性を持たせるならば、伸縮フィルム、平ゴム、糸ゴムなどを不織布で挟んで固定したシート、伸縮性フォームなどから選択することができる。
また、伸縮性のない基材を使用して、図９に示したような形状の止着テープを作る場合には、フィルムか熱可塑性樹脂からなる不織布が好適である。
【００５５】
さらに、着用者や介助者が止着テープの位置を発見しやすいように、前記止着テープの全体か一部が目立つようにおむつの外側と異なる色になっているとよい。着色の部位としては限定しないが、止着テープの基材を着色するか、止着材が粘着剤であれば、粘着剤を着色することもでき、止着材に着色された面ファスナーのフック材を用いることもでき、さらにはテープ基材が着色されてもよいし、前記のごとくテープ基材に貼り合わせる非伸縮性シートが着色されていても良い。
【００５６】
本発明において、液透過性のトップシートとしては、ポリエチレン、ポリプロピレン、ポリエステル、その他の熱可塑性樹脂を原料とした合成繊維を主成分とした不織布を用いることができる。
【００５７】
液不透過性のバックシートとしては、透湿性でありながら液体不透過性であることが好ましく、例えばポリエチレン樹脂にフィラーを加えて延伸したポリエチレンの微多孔シートのようなものが用いられる。
【００５８】
本発明において、吸収体は、フラッフパルプを主材としたものに高吸水性ポリマーを併用したものが好ましく、その他に吸収紙単独、又は熱融着繊維等の混合物や積層物、高吸水性ポリマーを固定したポリマーシートが用いられる。また、高分子吸収体の漏れ出し防止、吸収体の形状安定性付与のために、親水性のシートで包むのが好ましい。親水性のシートの例としては、親水化処理した不織布、ティシュなどが上げられる。親水性シートは目付けが１５ｇ／ｍ2〜４０ｇ／ｍ2のものが好適に用いられる。
吸収体の形状は砂時計型、矩型、その他任意の形状にすることができる。
【００５９】
外装シートは、主に不織布が使用され、ポリエチレン、ポリプロピレン、ポリエステルなどの熱可塑性樹脂を原料とした乾式不織布、湿式不織布を用いることができる。
【００６０】
ウエスト周り開口部、脚周り開口部、胴回りに配置される伸縮弾性体は、天然ゴム製平ゴム（リボン状）、ウレタンゴム糸等の通常使い捨ておむつに使用される伸縮弾性体を使用することができる。
【産業上の利用可能性】
【００６１】
本発明のパンツ型使い捨ておむつの第１の形態においては、前身頃と後身頃の相対する両側縁部を接合してウエスト周り開口部と一対の脚周り開口部を形成し、各開口部に沿ってウエスト周り伸縮弾性体と脚周り伸縮弾性体が配置され、さらに、前身頃と後身頃のうちのいずれか一方の身頃の脚周り開口部側の側縁部の長さが、他方の身頃の脚周り開口部側の側縁部の長さよりも長く形成されており、長く形成された側縁部には、相対する身頃の側縁部と着脱可能な止着テープが取付けられている。
【００６２】
このような構成を有する本発明のパンツ型使い捨ておむつは、脚周り開口部の側縁部に取付けた止着テープにより、着用者の脚周りに隙間が生じないようにおむつを調整することが可能であり、また、前身頃と後身頃の接合部が着用者の肌を圧迫することがないため、優れた着用感を有しており、さらに、着用中に止着テープが外れることがあっても、パンツの機能を維持することができるものであり、子供向けや、大人向けの尿や便を吸収保持するパンツ型使い捨ておむつとして有用である。
【００６３】
また、止着テープを脚周り伸縮弾性体の近傍に取付けた構成にすることにより、伸縮弾性体の作用により、おむつを着用者の脚周りにより良好にフィットさせることができる。
また、止着テープが取付けられている側の身頃において、脚周り伸縮弾性体の外側に、さらに第２の脚周り伸縮弾性体を配置し、止着テープを第２の脚周り伸縮弾性体の近傍に取付けた構成にすることにより、第２の脚周り伸縮弾性体の作用により、臀部を包むようにおむつを着用者に装着することができるため、さらに良好に、おむつを着用者の脚周りにフィットさせることが可能となる。
【００６４】
本発明のパンツ型使い捨ておむつの第２の形態においては、前身頃と後身頃の相対する両側縁部を接合してウエスト周り開口部と一対の脚周り開口部を形成し、各開口部に沿ってウエスト周り伸縮弾性体と脚周り伸縮弾性体が配置され、さらに、前身頃と後身頃のうちの少なくとも一方の身頃には、脚周り伸縮弾性体の外側に第２の脚周り伸縮弾性体が配置されており、かつ、第２脚周り伸縮弾性体が配置された領域の側縁部は非接合状態に形成されており、非接合状態の側縁部において、前身頃と後身頃の一方の側縁部には、相対する身頃の側縁部と着脱可能な止着テープが取付けられている。
【００６５】
このような構成を有する本発明のパンツ型使い捨ておむつは、脚周り開口部の非接合状態の側縁部に取付けた止着テープにより、着用者の脚周りに隙間が生じないようにおむつを調整することが可能であり、また、前身頃と後身頃の接合部が着用者の肌を圧迫することがないため、優れた着用感を有しており、さらに、着用中に止着テープが外れることがあっても、パンツの機能を良好に維持することができるものである。
【００６６】
また、止着テープを第２の脚周り伸縮弾性体の近傍に取付けた構成にすることにより、第２の脚周り伸縮弾性体の作用により、臀部を包むようにおむつを着用者に装着することができるため、おむつを着用者の脚周りにより良好にフィットさせることが可能となる。
【００６７】
さらに、本発明のパンツ型使い捨ておむつは、脚周り開口部近傍に、前記止着テープとは別体の少なくとも１個の止着テープを取付けることができる。このように、複数個の止着テープを取付けることにより、止着テープが１個の場合よりも、脚周りの調整をより良好に行なうことができる。
【図面の簡単な説明】
【００６８】
【図１】本発明のパンツ型使い捨ておむつを腹側から見た正面図である。
【図２】本発明のパンツ型使い捨ておむつを背側から見た背面図である。
【図３】本発明のパンツ型使い捨ておむつの脚周りに止着テープを取付けた部分の拡大図である。
【図４】本発明のパンツ型使い捨ておむつを着用した状態を側面から見た場合の外観図である。
【図５】本発明のパンツ型使い捨ておむつの脚周りに止着テープを取付けた部分の拡大図である。
【図６】本発明のパンツ型使い捨ておむつの一例を示す縦断面図である。
【図７】本発明の止着テープの一例を示す断面図である。
【図８】本発明の止着テープの別の例を示す断面図である。
【図９】本発明の止着テープのさらに別の例を示す断面図である。
【符号の説明】
【００６９】
１：パンツ型使い捨ておむつ
２：前身頃
３：後身頃
４：股下部
５：側縁部の外縁
６：ウエスト周り開口部
７：脚周り開口部
８：ウエスト周り伸縮弾性体
９：脚周り伸縮弾性体
９’：第２の脚周り伸縮弾性体
１０：胴回り伸縮弾性体
１１：後身頃の側縁部
１２：前身頃の側縁部
１３：止着テープ
２０：側縁部下端
２１：止着手段（面ファスナーのフック材）
２２：タブ
２３：ヒートシール
３０：止着テープの固定端
３１：第２の脚周り伸縮弾性体
３２：止着テープの自由端
３３：非接合部
３４：エンボス
４１：外装シート
４２：吸収性本体
４３：不織布
４４：トップシート
４５：バックシート
４６：吸収体
４７：ティシュ
４８：固定用シート
５１：テープ基材
５２：テープ固定端
５３：テープ自由端
５４：非伸縮性のシート
５５：接着剤層
５６：非伸縮性のシート
５７：止着手段（面ファスナーのフック材）
５８：テープタブ
５９：粘着剤層
６０：着色された非伸縮性シート
６１：着色された非伸縮性シート
７０：基材シート
７１：基材シート
７２：基材シート
７３：接着剤層
７４：離型剤層
７５：自由端の先端部
７６：タブシート
７７：連結部
７８：連結部
【図１】
2005058396.tif 000003
【図２】
2005058396.tif 000004
【図３】
2005058396.tif 000005
【図４】
2005058396.tif 000006
【図５】
2005058396.tif 000007
【図６】
2005058396.tif 000008
【図７】
2005058396.tif 000009
【図８】
2005058396.tif 000010
【図９】
2005058396.tif 000011